(57)【要約】カメラ付き携帯情報通信端末による撮影の対象となる画像の画質を劣化させたり画像の見映えを悪化させたりすることなく、カメラ付き携帯情報通信端末を用いてＷｅｂサイトへ接続するために、Ｗｅｂサイトと関連付けられた所定の画像の特徴量を予め記憶しておき、カメラ付き携帯情報通信端末に内蔵されたカメラにより撮影された画像から抽出された特徴量と上記予め記憶した特徴量とを比較し、上記比較した結果に基づいて、上記予め記憶した特徴量に対応する画像と関連付けられたＷｅｂサイトへ接続するようにした。【特許請求の範囲】
【請求項１】
カメラ付き携帯情報通信端末に内蔵されたカメラにより撮影された画像に基づいて、カメラ付き携帯情報通信端末を前記画像に関連付けられたＷｅｂサイトへ接続するカメラ付き携帯情報通信端末を用いたＷｅｂサイト接続方法において、
Ｗｅｂサイトと関連付けられた所定の画像の特徴量を予め記憶しておき、
カメラ付き携帯情報通信端末に内蔵されたカメラにより撮影された画像から抽出された特徴量と前記予め記憶した特徴量とを比較し、
前記比較した結果に基づいて、前記予め記憶した特徴量に対応する画像と関連付けられたＷｅｂサイトへ接続する
ことを特徴とするカメラ付き携帯情報通信端末を用いたＷｅｂサイト接続方法。
【請求項２】
請求項１に記載のカメラ付き携帯情報通信端末を用いたＷｅｂサイト接続方法において、
前記特徴量は、画像の所定の領域のグレースケール値を示す曲線の傾きおよび規格化した曲線データである
ことを特徴とするカメラ付き携帯情報通信端末を用いたＷｅｂサイト接続方法。
【請求項３】
請求項２に記載のカメラ付き携帯情報通信端末を用いたＷｅｂサイト接続方法において、
前記画像のサイズは、縦１２８ピクセル×横１２８ピクセルのピクセルサイズである
ことを特徴とするカメラ付き携帯情報通信端末を用いたＷｅｂサイト接続方法。
【請求項４】
カメラ付き携帯情報通信端末に内蔵されたカメラにより撮影された画像に基づいて、カメラ付き携帯通信端末を前記画像に関連付けられたＷｅｂサイトへ接続するカメラ付き携帯情報通信端末を用いたＷｅｂサイト接続システムにおいて、
Ｗｅｂサイトと関連付けられた所定の画像の特徴量を、前記Ｗｅｂサイトへの接続情報と関連付けて記憶した記憶手段と、
カメラ付き携帯情報通信端末に内蔵されたカメラにより撮影された画像から特徴量を抽出する抽出手段と、
前記記憶手段に記憶された特徴量と前記抽出手段により抽出された特徴量とを比較する比較手段と、
前記比較手段の比較結果に基づいて、前記記憶手段に記憶された特徴量に関連付けられた接続情報に基づいてＷｅｂサイトへ接続する接続手段と
を有することを特徴とするカメラ付き携帯情報通信端末を用いたＷｅｂサイト接続システム。
【請求項５】
請求項４に記載のカメラ付き携帯情報通信端末を用いたＷｅｂサイト接続システムにおいて、
前記特徴量は、画像の所定の領域のグレースケール値を示す曲線の傾きおよび規格化した曲線データである
ことを特徴とするカメラ付き携帯情報通信端末を用いたＷｅｂサイト接続システム。
【請求項６】
請求項５に記載のカメラ付き携帯情報通信端末を用いたＷｅｂサイト接続システムにおいて、
前記画像のサイズは、縦１２８ピクセル×横１２８ピクセルのピクセルサイズである
ことを特徴とするカメラ付き携帯情報通信端末を用いたＷｅｂサイト接続システム。
【請求項７】
請求項１、２または３のいずれか１項に記載のカメラ付き携帯情報通信端末を用いたＷｅｂサイト接続方法をコンピュータに実行させるためのプログラム。
【請求項８】
請求項４、５または６のいずれか１項に記載のカメラ付き携帯情報通信端末を用いたＷｅｂサイト接続システムとしてコンピュータを機能させるためのプログラム。
【請求項９】
請求項７または８のいずれか１項に記載のプログラムを記録したコンピュータ読み取り可能な記録媒体。
【発明の詳細な説明】
【技術分野】
【０００１】  本発明は、カメラ付き携帯情報通信端末を用いたＷｅｂサイト接続方法、カメラ付き携帯情報通信端末を用いたＷｅｂサイト接続システム、プログラムおよびコンピューター読み取り可能な記録媒体に関し、さらに詳細には、カメラを内蔵したカメラ付き携帯情報通信端末の当該内蔵したカメラにより撮影された画像に基づいてＷｅｂサイトへの接続を行うカメラ付き携帯情報通信端末を用いたＷｅｂサイト接続方法、カメラ付き携帯情報通信端末を用いたＷｅｂサイト接続システム、プログラムおよびコンピューター読み取り可能な記録媒体に関する。【０００２】  なお、本明細書においてカメラ付き携帯情報通信端末とは、カメラを内蔵したカメラ付き携帯電話（以下、単に「カメラ付き携帯電話」と称する。）、カメラを内蔵したカメラ付きパーソナル・ハンディフォーン・システム（以下、単に「カメラ付きＰＨＳ」と称する。）、カメラを内蔵したカメラ付きパーソナル・コンピュータ（以下、単に「カメラ付きＰＣ」と称する。）などの、各種のカメラを内蔵した携帯用の情報通信機器を意味するものとする。
【背景技術】
【０００３】  近年、カメラ付き携帯電話の普及とその性能の向上とが相俟って、カメラ付き携帯電話を用いてＷｅｂサイトへ接続し、カメラ付き携帯電話の表示画面上でＷｅｂページを閲覧することを可能にしたサービスが種々提供されている。
ところで、こうしたサービスにおいて、カメラ付き携帯電話によりＷｅｂサイトへ接続するための手法としては、例えば、カメラ付き携帯電話に内蔵されたカメラにより画像を撮影し、当該撮影した画像からＵＲＬ情報やＩＤ情報などのＷｅｂサイトへ接続するための情報（本明細書においては、ＵＲＬ情報やＩＤ情報などのＷｅｂサイトへ接続するための情報を総称して、「Ｗｅｂサイト接続情報」と適宜に称する。）を抽出し、当該抽出したＵＲＬ情報やＩＤ情報などに基づいてＷｅｂサイトへ接続を行うという手法がとられていた。
具体的には、ＱＲコードやバーコードあるいは電子透かし技術情報を用いて、ＵＲＬ情報やＩＤ情報などのＷｅｂサイト接続情報を、画像に記載したり埋め込んだりしておく。そして、カメラ付き携帯電話に内蔵されたカメラにより当該画像を撮影し、当該撮影した画像から当該画像に埋め込まれているＵＲＬ情報やＩＤ情報などを抽出し、当該抽出したＵＲＬ情報やＩＤ情報などが示すＷｅｂサイトへの接続を行うというものである。【０００４】  ここで、Ｗｅｂサイト接続情報を電子透かし情報として画像に埋め込んだ場合において、カメラ付き携帯電話で撮影した画像から当該画像に埋め込まれている電子透かし情報を抽出し、それに基づいてＷｅｂサイトへ接続する手法としては、従来より以下に示す２通りの手法が知られている。
まず、第１の手法は、サーバ側において照合する方式である。即ち、カメラ付き携帯電話で撮影した画像をサーバに転送し、サーバ側において受信した画像に埋め込まれている電子透かし情報を抽出して、抽出した電子透かし情報をＷｅｂサイト接続情報（例えば、ＷｅｂサイトのＵＲＬ情報である。）に変換した後にカメラ付き携帯電話に返信する。カメラ付き携帯電話においては、受信したＷｅｂサイト接続情報から当該Ｗｅｂサイト接続情報の示すＷｅｂサイトへの接続を行い、カメラ付き携帯電話の表示画面上に接続したＷｅｂサイトのＷｅｂページを表示するというものである。
また、第２の手法は、カメラ付き携帯電話側において照合する方式である。即ち、カメラ付き携帯電話で撮影した画像を当該カメラ付き携帯電話のメモリ内に保存し、当該カメラ付き携帯電話側においてメモリ内に保存された画像に埋め込まれている電子透かし情報を抽出して、抽出した電子透かし情報をＷｅｂサイト接続情報（例えば、ＷｅｂサイトのＵＲＬ情報である。）に変換する。それから、カメラ付き携帯電話においては、変換したＷｅｂサイト接続情報から当該Ｗｅｂサイト接続情報の示すＷｅｂサイトへの接続を行い、カメラ付き携帯電話の表示画面上に接続したＷｅｂサイトのＷｅｂページを表示するというものである。【０００５】  しかしながら、上記した第１の手法ならびに第２の手法には、以下に説明する第１〜５の５つの問題点があり、カメラ付き携帯電話などのカメラ付き携帯情報通信端末を用いてＷｅｂサイトへ接続する手法としては、十分な実用レベルにまで達しているとは言えないということが指摘されていた。
（１）第１の問題点
カメラ付き携帯情報通信端末の内蔵カメラでの撮影時における照明環境の影響によって、撮影した画像の解像度が不足する場合が生じ、この場合には画像に埋め込まれた電子透かし情報の検出が困難になる。
（２）第２の問題点
カメラ付き携帯情報通信端末の内蔵カメラでの撮影時におけるカメラアングルなどの影響によって、撮影した画像が変改されたり、あるいは画像の解像度が不足する場合が生じ、この場合には画像に埋め込まれた電子透かし情報の検出が困難になる。
（３）第３の問題点
カメラ付き携帯情報通信端末の内蔵カメラの使用方法や処理速度の影響によって、画像の撮影自体が困難になったり、撮影した画像からのデコードが遅くなったりする場合が生じ、この場合には画像に埋め込まれた電子透かし情報の検出が困難になる。
（４）第４の問題点
カメラ付き携帯情報通信端末の内蔵カメラが撮影できる画像のサイズには限界があるため、画像に埋め込むことのできる電子透かし情報の情報量が少ない。
（５）第５の問題点
上記した第１〜３の問題点を解消して電子透かし情報を容易に検出可能とするためには、画像に電子透かし情報を強く埋め込まなければならないので、電子透かし情報を埋め込まれた画像の画質が著しく劣化する。【０００６】  一方、上記したような電子透かし情報技術に関する問題点を解消するために、Ｗｅｂサイト接続情報をＱＲコードやバーコードとして当該画像に記載した場合には、当該画像の見映えが悪化するという新たな問題点を招来するものであった。
また、カメラ付き携帯情報通信端末の内蔵カメラでの撮影対象の画像（本明細書においては、「カメラ付き携帯情報通信端末の内蔵カメラでの撮影対象の画像」を適宜に「基画像」と称する。）をカメラ付き携帯情報通信端末の内蔵カメラで撮影すると、撮影した画像が大変ぼけたり、傾いたりあるいは変形したりして、基画像と比較すると画質が相当に劣化する場合がある。例えば、図１に示すように、図１（ａ）に示す基画像をカメラ付き携帯通信端末で撮影すると、図１（ｂ）に示すように画像が大変ぼけたり、傾いたりあるいは変形したりして、図１（ａ）に示す基画像と比較すると画質が相当に劣化する場合がある。
こうした画像の画質の劣化が激しい場合には、画像にＱＲコードやバーコードを記載してあっても、従来のカメラ付き携帯情報通信端末の内蔵カメラで撮影した画像からＱＲコードやバーコードを抽出する技術においては、画像に記載されたＱＲコードやバーコードの正確な照合を行うことは困難であった。【０００７】  なお、本願出願人が特許出願のときに知っている先行技術は、文献公知発明に係る発明ではないため、記載すべき先行技術文献情報はない。
【発明の開示】
【発明が解決しようとする課題】
【０００８】  本発明は、上記したような従来の技術の有する種々の問題点や要望に鑑みてなされたものであり、その目的とするところは、カメラ付き携帯情報通信端末による撮影の対象となる画像の画質を劣化させたり画像の見映えを悪化させたりすることなく、カメラ付き携帯電話などのカメラ付き携帯情報通信端末を用いてＷｅｂサイトへ接続する手法として十分な実用性を備えたカメラ付き携帯情報通信端末を用いたＷｅｂサイト接続方法、カメラ付き携帯情報通信端末を用いたＷｅｂサイト接続システム、プログラムおよびコンピューター読み取り可能な記録媒体を提供しようとするものである。【０００９】  また、本発明の目的とするところは、カメラ付き携帯情報通信端末による撮影の対象の画像を撮影した場合に、当該画像と比較すると撮影された画像の画質が相当に劣化していても、撮影された画像に基づいてＷｅｂサイトへ接続することを可能にしたカメラ付き携帯情報通信端末を用いたＷｅｂサイト接続方法、カメラ付き携帯情報通信端末を用いたＷｅｂサイト接続システム、プログラムおよびコンピューター読み取り可能な記録媒体を提供しようとするものである。
【課題を解決するための手段】
【００１０】  上記目的を達成するために、本発明は、カメラ付き携帯情報通信端末に内蔵されたカメラにより撮影された画像から特徴量を抽出し、当該抽出した特徴量と所定のＷｅｂサイト接続情報と対にされた特徴量とを比較し、その比較結果に基づいて特徴量と対にされたＷｅｂサイト接続情報を検出し、検出したＷｅｂサイト接続情報に基づいてＷｅｂサイトへの接続を行うものである。
従って、本発明によれば、カメラ付き携帯情報通信端末の撮影の対象となる画像に対してＱＲコードやバーコードの付記やあるいは電子透かし情報の埋め込みなどのような何らの加工処理も行うことなく、そうした加工処理を全く行われていない画像をカメラ付き携帯情報通信端末に内蔵されたカメラで撮影することにより、実用上十分な正確性をもって当該画像に対応して設定されたＷｅｂサイトへ接続することが可能になる。
このため、本発明によれば、Ｗｅｂサイトに接続する際にカメラ付き携帯情報通信端末により撮影する対象の画像に対し、ＱＲコードやバーコードの付記やあるいは電子透かし情報の埋め込みなどのような、画像の画質を劣化させたり画像の見映えを悪化させたりする加工処理を行う必要がない。
また、本発明によれば、Ｗｅｂサイトに接続する際にカメラ付き携帯情報通信端末により撮影する対象の画像に対して一切の加工処理を行うことなく、当該画像から特徴量を抽出して、予めＷｅｂサイト接続情報と対にされた特徴量と当該抽出した特徴量とを照合するようにしたものであるので、例えば、図１（ａ）（ｂ）に示す程度の視覚および脳を用いた人間の判断によれば同一と判断できる程度の画像劣化であるならば、図１（ａ）に示す基画像と図１（ｂ）に示すカメラ付き携帯情報通信端末で撮影した画像とを同一と判断するのに十分な特徴量を抽出でき、抽出した特徴量から図１（ａ）に示す基画像と図１（ｂ）に示すカメラ付き携帯情報通信端末で撮影した画像とを照合して同一と判断することが十分可能であって、実用レベルとして問題ないものである。【００１１】  そして、本発明は、カメラ付き携帯情報通信端末に内蔵されたカメラにより撮影された画像に基づいて、カメラ付き携帯情報通信端末を上記画像に関連付けられたＷｅｂサイトへ接続するカメラ付き携帯情報通信端末を用いたＷｅｂサイト接続方法において、Ｗｅｂサイトと関連付けられた所定の画像の特徴量を予め記憶しておき、カメラ付き携帯通信端末に内蔵されたカメラにより撮影された画像から抽出された特徴量と上記予め記憶した特徴量とを比較し、上記比較した結果に基づいて、上記予め記憶した特徴量に対応する画像と関連付けられたＷｅｂサイトへ接続するようにしたものである。
また、本発明は、カメラ付き携帯情報通信端末に内蔵されたカメラにより撮影された画像に基づいて、カメラ付き携帯情報通信端末を上記画像に関連付けられたＷｅｂサイトへ接続するカメラ付き携帯情報通信端末を用いたＷｅｂサイト接続システムにおいて、Ｗｅｂサイトと関連付けられた所定の画像の特徴量を、上記Ｗｅｂサイトへの接続情報と関連付けて記憶した記憶手段と、カメラ付き携帯情報通信端末に内蔵されたカメラにより撮影された画像から特徴量を抽出する抽出手段と、上記記憶手段に記憶された特徴量と上記抽出手段により抽出された特徴量とを比較する比較手段と、上記比較手段の比較結果に基づいて、上記記憶手段に記憶された特徴量に関連付けられた接続情報に基づいてＷｅｂサイトへ接続する接続手段とを有するようにしたものである。
ここで、上記特徴量は、画像の所定の領域のグレースケール値を示す曲線の傾きおよび規格化した曲線データとしてもよい。
また、上記画像のサイズは、縦１２８ピクセル×横１２８ピクセルのピクセルサイズとしてもよい。
【発明の効果】
【００１２】  本発明は、カメラ付き携帯情報通信端末による撮影の対象となる画像の画質を劣化させたり画像の見映えを悪化させたりすることなく、カメラ付き携帯電話などのカメラ付き携帯情報通信端末を用いてＷｅｂサイトへ接続する手法として十分な実用性を備えたカメラ付き携帯情報通信端末を用いたＷｅｂサイト接続方法、カメラ付き携帯情報通信端末を用いたＷｅｂサイト接続システム、プログラムおよびコンピューター読み取り可能な記録媒体を提供することができるという優れた効果を奏する。
また、本発明は、カメラ付き携帯情報通信端末による撮影の対象の画像を撮影した場合に、当該画像と比較すると撮影された画像の画質が相当に劣化していても、撮影された画像に基づいてＷｅｂサイトへ接続することを可能にしたカメラ付き携帯情報通信端末を用いたＷｅｂサイト接続方法、カメラ付き携帯情報通信端末を用いたＷｅｂサイト接続システム、プログラムおよびコンピューター読み取り可能な記録媒体を提供することができるという優れた効果を奏する。
【図面の簡単な説明】
【００１３】
【図１】図１は、基画像とカメラ付き携帯情報通信端末で撮影した画像との比較例を示し、（ａ）は基画像を示し、（ｂ）はカメラ付き携帯情報通信端末で撮影した画像を示す。
【図２】図２は、本発明によるカメラ付き携帯情報通信端末を用いたＷｅｂサイト接続システムの実施の形態の一例の全体構成説明図である。
【図３】図３は、画像のサイズの変換処理を示す説明図であり、（ａ）に示す撮影サイズから、（ｂ）に示す縦１２８ピクセル×横１２８ピクセルのピクセルサイズに変換する。
【図４】図４は、グレースケール化処理を示す説明図であり、（ａ）に示すフルカラーデータを、（ｂ）に示すグレースケールデータに変換する。
【図５】図５は、ローパスフィルタリング処理を示す説明図であり、（ａ）に示すグレースケールデータに対してローパスフィルタリング処理を施すことにより、（ｂ）に示す基準化画像データを生成する。
【図６】図６（ａ）は基画像から切り出した断面データの一例を示し、図６（ｂ）は図６（ａ）に示す断面データを０〜２５５の範囲で規格化したデータ、即ち、規格化された断面データを示す。
【図７】図７は、カメラ付き携帯情報通信端末で撮影した画像の画像データから断面線を設定する手法を示す説明図であり、図７中において、符号Ａは撮影画像を示し、符号Ｂは携帯画面を示し、符号Ｃは断面線を示し、符号Ｈは画面縦サイズを示し、符号Ｗは画面横サイズを示し、符号ＹＤは縦断面線間距離を示し、符号ＸＤは横断面線間距離を示す。
【図８】図８（ａ）は基画像から切り出した断面データを規格化した後の断面データ（規格化された断面データ）を示し、図８（ｂ）はカメラ付き携帯電話で撮影した画像データから切り出した断面データを規格化した後の断面データ（撮影の際に光の影響で変形された断面データ）を示す。
【符号の説明】
【００１４】  １０    カメラ付き携帯電話
１０ａ  表示画面
１２    データベース
１４    関連Ｗｅｂサイト
１６    サーバ
【発明を実施するための最良の形態】
【００１５】  以下、添付の図面に基づいて、本発明によるカメラ付き携帯情報通信端末を用いたＷｅｂサイト接続方法、カメラ付き携帯情報通信端末を用いたＷｅｂサイト接続システム、プログラムおよびコンピューター読み取り可能な記録媒体の実施の形態の一例を詳細に説明するものとする。【００１６】  図２には、本発明によるカメラ付き携帯情報通信端末を用いたＷｅｂサイト接続システムの実施の形態の一例の全体構成説明図である。なお、図２においては、理解を容易にするために、カメラ付き携帯情報通信端末の一例としてカメラ付き携帯電話を示しており、以下においては、カメラ付き携帯電話を例にして説明する。
この図２に示すカメラ付き携帯情報通信端末を用いたＷｅｂサイト接続システム（以下、「発明を実施するための最良の形態」の項においては、単に「Ｗｅｂサイト接続システム」と称する。）は、カメラ付き携帯電話１０の表示画面１０ａ上に基画像に基づいて接続されたＷｅｂサイトのＷｅｂページを表示するサービスを実施するに際し、予めデータベース１２に登録された基画像の所定の特徴量とカメラ付き携帯電話１０の内蔵カメラで撮影した画像から抽出された所定の特徴量とを照合し、その照合結果に基づいて、カメラ付き携帯電話１０を基画像の所定の特徴量と対にして設定されたＷｅｂサイト（以下、「基画像の所定の特徴量と対にして設定されたＷｅｂサイト」を、単に「関連Ｗｅｂサイト」と称する。）１４に接続し、カメラ付き携帯電話１０の表示画面１０ａ上に関連Ｗｅｂサイト１４のＷｅｂページを表示するものである。
即ち、予め、カメラ付き携帯電話１０あるいは他の任意のカメラにより基画像を撮影し、撮影した画像から切り出した断面データをサーバ１６に送信して、サーバ１６内において基画像から所定の特徴量を抽出する処理を行い（基画像やカメラ付き携帯電話１０の内蔵カメラで撮影した画像から所定の特徴量を抽出する処理の詳細については、後ほど図面を参照しながら詳述する。）、抽出した所定の特徴量を基画像のＷｅｂサイト接続情報（この実施の形態においては、理解を容易にするために、Ｗｅｂサイト接続情報の一例としてＵＲＬ情報を示しており、以下においては、ＵＲＬ情報を例にして説明する。）と対にしてデータベース１２に登録しておく（図２−（１）基画像の特徴量・ＵＲＬ情報の登録）。
そして、カメラ付き携帯電話１０の内蔵カメラで撮影した画像を撮影すると（図２−（２）撮影）、撮影した画像から切り出した断面データをサーバ１６に送信して（図２−（３）送信）、サーバ１６内において撮影した画像から所定の特徴量を抽出する処理を行う。
それから、サーバ１６は、カメラ付き携帯電話１０の内蔵カメラで撮影した画像から抽出した所定の特徴量と基画像から抽出した所定の特徴量とを照合し（図２−（４）照合）、その照合結果に基づいて基画像から抽出した所定の特徴量と対のＵＲＬ情報を検出し、検出したＵＲＬ情報をカメラ付き携帯電話へ返信する。
カメラ付き携帯電話１０は、サーバ１６から送信されたＵＲＬ情報を受信すると（図２−（５）受信）、受信したＵＲＬ情報により当該ＵＲＬ情報が示す関連Ｗｅｂサイト１４にアクセスして接続し（図２−（６）関連サイトへアクセス）、カメラ付き携帯電話１０の表示画面１０ａ上に関連Ｗｅｂサイト１４のＷｅｂページを表示する。【００１７】  より詳細には、「図２−（１）基画像の特徴量・ＵＲＬ情報の登録」の処理は、関連Ｗｅｂサイトを提供してカメラ付き携帯電話１０の表示画面１０ａ上でＷｅｂページを閲覧することを可能にしたサービスを行うサービス事業者側で実行される処理の手順を示している。
即ち、サービス事業者側においては、後にカメラ付き携帯電話１０から送られてきた当該カメラ付き携帯電話１０で撮影された画像の特徴量との照合を行うために、基画像の所定の特徴量を関連Ｗｅｂサイト１４のＵＲＬ情報と対にしてデータベース１２に予め登録しておくことになる。
この処理の詳細については後述するが、その概要を説明すると、まず、関連サイトによる情報を提供するサービスの対象とする基画像をデジタルカメラなどで撮影して電子データとした基画像データを、縦方向と横方向とがそれぞれ１２８ピクセルのピクセルサイズ（縦１２８ピクセル×横１２８ピクセルのピクセルサイズ）の大きさにサイズ変換処理し、次にグレースケール化処理を行い、さらにローパスフィルタリング処理を行うことで、基画像における基準化画像データへと変換し、変換した基準化画像データから縦方向と横方向とからそれぞれとれる断面線（断面線の詳細については、後述する。）を設定し、設定した断面線における断面データを切り出し、切り出した断面データを０〜２５５の範囲で規格化させ、規格化させた断面データから後述する手法により抽出した特徴量を所定の特徴量として、基画像に対応する関連Ｗｅｂサイト１４のＵＲＬ情報と関連付けてデータベースに登録する。
なお、「断面データを０〜２５５の範囲で規格化」するとは、上記したサイズ変換処理、グレースケール化処理およびローパスフィルタリング処理を施された基準化画像の断面データで０〜２５５の範囲で表示された数値（上記したローパスフィルタリング処理までの処理で、０〜２５５の範囲のうち限られた範囲しか使用していない。）を、画像サイズである０〜２５５の範囲内で全ての範囲を使用して数値を表示するように規格化することを意味する。これによって、のちに照合の対象となる撮影の環境などによって変わるカメラ付き携帯電話１０で撮影した画像の断面データの幅を考慮して、カメラ付き携帯電話１０で撮影して切り出した画像データを０〜２５５に規格化したデータと比較することができるようになる。【００１８】  次に、「図２−（２）撮影」〜「図２−（６）関連Ｗｅｂサイトへアクセス」の処理は、ユーザーがカメラ付き携帯電話１０における画像の撮影から関連Ｗｅｂサイト１４へ接続して、カメラ付き携帯電話１０の表示画面１０ａ上に関連Ｗｅｂサイト１４のＷｅｂページを表示するまでの手順を示している。
即ち、「図２−（２）撮影」の処理においては、ユーザーがカメラ付き携帯電話１０の内蔵カメラにより、サービス事業者が関連Ｗｅｂサイト１４を提供するサービスの対象としている画像を撮影すると、当該撮影した画像の画像データが生成される。
次に、こうして生成された画像データを、後述するように、変換した基準化画像データから縦方向と横方向にそれぞれ３セットの断面データ、即ち、合計で６セットの断面データを切り出す。ここで、切り出した断面データはグレースケール処理を施されてもよい。【００１９】  次に、「図２−（３）送信」の処理においては、「図２−（２）撮影」の処理において切り出して断面データのみを、カメラ付き携帯電話１０からサーバ１６へ送信する。
そして、サーバ１６においては、断面データを、照合の対象となる画像以外の余白を取り除き、１２８ピクセルサイズに変換処理を行い、次にローパスフィルタリング処理を行い、上記した「図２−（１）基画像の特徴量・ＵＲＬ情報の登録」の処理におけると同様に、処理後の断面データを０〜２５５の範囲で規格化させ、規格化させた断面データから後述する手法により所定の特徴量を抽出する。
さらに、抽出した所定の特徴量と予め関連ＷｅｂサイトのＵＲＬ情報と関連付けてデータベース１２に登録されている所定の特徴量とを照合し、照合結果が一致した場合にのみ、互い一致した予め登録してある所定の特徴量と関連付けて登録されているＵＲＬ情報をデータベース１２から取得する。なお、この処理の詳細については後述する。【００２０】  次に、「図２−（５）受信」の処理においては、「図２−（４）照合」の処理において取得したＵＲＬ情報を、カメラ付き携帯電話１０へ送信する。【００２１】  次に、「図２−（６）関連Ｗｅｂサイトへのアクセス」の処理においては、カメラ付き携帯電話１０がサーバ１６から送信されたＵＲＬ情報を受信すると、カメラ付き携帯電話１０は受信したＵＲＬ情報により当該ＵＲＬ情報が示す関連Ｗｅｂサイト１４にアクセスして接続し、カメラ付き携帯電話１０の表示画面１０ａ上に関連Ｗｅｂサイト１４のＷｅｂページを表示する。【００２２】  以下に、上記した「図２−（１）基画像の特徴量・ＵＲＬ情報の登録」の処理において実行される変換処理たる、基画像データを基準化画像データに変換する処理について詳細に説明する。
即ち、基画像データを基準化画像データに変換する処理においては、まず、図３に示すように、デジタルカメラなどで撮影した基画像の画像データたる基画像データの画像のサイズを、撮影サイズから縦１２８ピクセル×横１２８ピクセルのピクセルサイズに変換する。
こうした画像のサイズの変換処理を行うことにより、後に照合の対象となるカメラ付き携帯電話１０で撮影した画像のサイズなどが、カメラ付き携帯電話１０の性能や撮影サイズあるいは撮影時の種々の条件（撮影アングル、撮影距離あるいは撮影時の明るさなどである。）などに依存して劣化した場合においても、実用レベルで十分な照合を行うことが可能となる。
このように、実用レベルで十分な照合を行うことが可能となるのは、基画像から切り出した断面データを規格化した後の断面データと、カメラ付き携帯電話１０で撮影した画像データから切り出した断面データを規格化した後の断面データとを比較した場合において、上記したカメラ付き携帯電話１０の性能や撮影サイズあるいは撮影時の種々の条件による影響で、カメラ付き携帯電話１０で撮影した画像データから切り出した断面データを規格化した後の断面データが基画像データに比べて変形している際においても、サイズの規格化により比較されるそれぞれのインデックス値ｉ（後述する。）が同一の位置を指すために、それぞれのインデックス値ｉにおけるｆ（ｉ）（後述する。）の大きさに大小の差があっても式１（後述する。）により−１、０もしくは１として表示される特徴量Ｓ（ｉ）（後述する。）を求めて比較した結果はほぼ同一で、後述する式２、式３、式４、式５および式６により、照合の対象となる基画像とカメラ付き携帯電話１０で撮影した画像との同一性を確認することができるためである。【００２３】  それから、図４に示すように、縦１２８ピクセル×横１２８ピクセルのピクセルサイズに変換した基画像データに対してグレースケール化処理を行う。即ち、一般に、基画像データは、デジタルカメラなどで画像を撮影することにより生成される撮影色を示すＲＧＢのフルカラーデータであるが、これに対して輝度値を示すグレースケール化処理を行ってグレースケールデータに変換する。
こうしたグレースケール化処理を行うことにより、後に照合の対象となるカメラ付き携帯電話１０で撮影した画像の色などが、カメラ付き携帯電話１０の性能および撮影時の種々の条件（撮影アングル、撮影距離あるいは撮影時の明るさなどである。）などに依存して劣化した場合においても、実用レベルで十分な照合を行うことが可能となる。
このように、実用レベルで十分な照合を行うことが可能となるのは、基画像から切り出した断面データを規格化した後の断面データと、カメラ付き携帯電話１０で撮影した画像データから切り出した断面データを規格化した後の断面データとを比較した場合において、上記したカメラ付き携帯電話１０の性能や撮影時の種々の条件による影響で、カメラ付き携帯電話１０で撮影した画像データから切り出した断面データを規格化した後の断面データが基画像データに比べて変形している際においても、比較されるそれぞれのインデックス値ｉにおけるｆ（ｉ）（後述する。）の大きさに大小の差があっても式１により−１、０もしくは１として表示される特徴量Ｓ（ｉ）（後述する。）を求めて比較した結果はほぼ同一で、後述する式２、式３、式４、式５および式６により、照合の対象となる基画像とカメラ付き携帯電話１０で撮影した画像との同一性を確認することができるためである。
なお、基画像データが最初からグレースケールデータである場合には、このグレースケール化処理を行う必要はない。【００２４】  次に、図５に示すように、グレースケール化した基画像データに対してローパスフィルタリング処理を施すことにより、基準化画像データを生成する。
こうしたローパスフィルタリング処理を施すことにより、後に照合の対象となるカメラ付き携帯電話１０で撮影した画像の解像度などが、カメラ付き携帯電話１０の性能および撮影時の種々の条件（撮影アングル、撮影距離あるいは撮影時の明るさなどである。）などに依存して劣化した場合においても、実用レベルで十分な照合を行うことが可能となる。
このように、実用レベルで十分な照合を行うことが可能となるのは、基画像から切り出した断面データを規格化した後の断面データと、カメラ付き携帯電話で撮影した画像データから切り出した断面データを規格化した後の断面データとを比較した場合において、上記したカメラ付き携帯電話１０の性能や撮影時の種々の条件による影響で、カメラ付き携帯電話１０で撮影した画像データから切り出した断面データを規格化した後の断面データが基画像データに比べて変形している際においても、比較されるそれぞれのインデックス値ｉ（後述する。）におけるｆ（ｉ）（後述する。）の大きさに大小の差があっても式１により−１、０もしくは１として表示される特徴量Ｓ（ｉ）（後述する。）を求めて比較した結果はほぼ同一で、式２、式３、式４、式５および式６により、照合の対象となる基画像とカメラ付き携帯電話１０で撮影した画像との同一性を確認することができるためである。【００２５】  上記のようにして、縦１２８ピクセル×横１２８ピクセルのピクセルサイズに変換した基画像データを生成すると、この生成した基画像データに対して、当該基画像データにより示される画像の縦方向ピクセルに沿ってそれぞれ１２８列（横方向には１２８ピクセル並んでいる。）整列している各列が１２８ピクセルを有する１２８本の列方向線と、当該基画像データにより示される画像の横方向に沿ってそれぞれ１２８行（縦方向には１２８ピクセル並んでいる。）整列している各行が１２８ピクセルを有する１２８本の行方向線とを設定する。
なお、本明細書においては、画像データにより示される画像の縦方向ピクセルに沿ってそれぞれ整列している列方向線と当該画像の横方向に沿ってそれぞれ整列している行方向線とを総称して「断面線」と称する。
従って、縦１２８ピクセル×横１２８ピクセルのピクセルサイズに変換した基画像データにおいては、１２８本の列方向線と１２８本の行方向線とを合わせた２５６本の断面線が設定されることになる。
このように１２８本の列方向線と１２８本の行方向線とを合わせた２５６本の断面線が設定することにより、後に照合の対象となるカメラ付き携帯電話１０で撮影した画像が、カメラ付き携帯電話１０の性能および撮影時の種々の条件（撮影アングル、撮影距離あるいは撮影時の明るさなどである。）などに依存して劣化した場合においても、実用レベルで十分な照合を行うことが可能となる。
このように、実用レベルで十分な照合を行うことが可能となるのは、基画像から切り出した断面データを規格化した後の断面データと、カメラ付き携帯電話１０で撮影した画像データから切り出した断面データを規格化した後の断面データとを比較した場合において、上記したカメラ付き携帯電話１０の性能や撮影時の種々の条件による影響で、カメラ付き携帯電話１０で撮影した画像データから切り出した断面データを規格化した後の断面データが基画像データに比べて変形している際においても、比較されるそれぞれのインデックス値ｉ（後述する。）におけるｆ（ｉ）（後述する。）の大きさに大小の差があっても式１により−１、０もしくは１として表示される特徴量Ｓ（ｉ）（後述する。）を求めて比較した結果はほぼ同一で、式２、式３、式４、式５および式６により、照合の対象となる基画像とカメラ付き携帯電話１０で撮影した画像との同一性を確認することができるためである。【００２６】  上記のようにして２５６本の断面線を設定すると、この２５６本の断面線のそれぞれについて、断面線に沿って断面データを取得する。具体的には、断面線に沿う各ピクセルのグレースケール値を取得して、この断面線に沿う各ピクセルのグレースケール値を断面データとする。即ち、本明細書においては、断面線に沿う各ピクセルのグレースケール値を示すデータを「断面データ」と称している。
図６（ａ）には断面データの一例が示されているが、次に、この断面データを０〜２５５の範囲で規格化する。図６（ｂ）には、図６（ａ）に示す断面データを規格化したデータが示されている。
このように断面データを規格化することにより、後に照合の対象となるカメラ付き携帯電話１０で撮影した画像が、カメラ付き携帯電話１０の性能および撮影時の種々の条件（撮影アングル、撮影距離あるいは撮影時の明るさなどである。）などに依存して劣化した場合においても、実用レベルで十分な照合を行うことが可能となる。
このように、実用レベルで十分な照合を行うことが可能となるのは、基画像から切り出した断面データを規格化した後の断面データと、カメラ付き携帯電話１０で撮影した画像データから切り出した断面データを規格化した後の断面データとを比較した場合において、いずれも断面データを０〜２５５の範囲で規格化されているため、カメラ付き携帯電話１０で撮影した画像データに設定した断面線は、基画像データに設定した２５６本の断面線のうちのいずれか、例えば、４本の断面線と同一となり、上記したカメラ付き携帯電話１０の性能や撮影時の種々の条件による影響で、カメラ付き携帯情報端末で撮影した画像データから切り出した断面データを規格化した後の断面データが基画像データに比べて変形している際においても、比較されるそれぞれのインデックス値ｉ（後述する。）におけるｆ（ｉ）（後述する。）の大きさに大小の差があっても式１により−１、０もしくは１として表示される特徴量Ｓ（ｉ）（後述する。）を求めて比較した結果はほぼ同一で、式２、式３、式４、式５および式６により、照合の対象となる基画像とカメラ付き携帯電話１０で撮影した画像との同一性を確認することができるためである。【００２７】  次に、上記のようにして規格化された断面データにおいて、断面データの範囲内の全てのピクセル、即ち、断面線に沿う各ピクセルそれぞれのインデックス値ｉ（インデックス値ｉは、断面線に沿う各ピクセル、即ち、断面データを構成する元になった各ピクセルを指す値である。図６に示す断面データを表すグラフの横軸に付された数値が、インデックス値ｉである。）と、断面データの範囲内の全てのそれぞれのインデックス値ｉにおける振幅の大きさ、即ち、グレースケール値の大きさを表す数値ｆ（ｉ）を対象に、下記の式１を当てはめることによって規格化し、断面データの範囲内の全てのそれぞれのインデックス値ｉにおける断面データの振幅の大きさを表す数値ｆ（ｉ）を規格化して１もしくは０あるいは−１のいずれか１つで表示したＳ（ｉ）を取得する。
このＳ（ｉ）は、振幅の大きさ、即ち、グレースケール値を示す曲線の傾きを表すことになるものであり、本発明においては、このＳ（ｉ）を所定の特徴量として用いることとする。
【数１】
2006008992.tif 000002
上記のようにして取得した数値Ｓ（ｉ）を所定の特徴量として用いることにより、後に照合の対象となるカメラ付き携帯電話１０で撮影した画像が、カメラ付き携帯電話１０の性能および撮影時の種々の条件（撮影アングル、撮影距離あるいは撮影時の明るさなどである。）などに依存して劣化した場合においても、実用レベルで十分な照合を行うことが可能となる。
このように、実用レベルで十分な照合を行うことが可能となるのは、特徴量Ｓ（ｉ）は、比較されるそれぞれのインデックス値ｉにおけるｆ（ｉ）の大きさに大小の差があっても式１により−１、０もしくは１として表示される数値であるため、カメラ付き携帯電話１０の性能や撮影時の種々の条件による影響で、カメラ付き携帯電話１０で撮影した画像データから切り出した断面データを規格化した後の断面データが基画像データに比べて変形している際においても、特徴量Ｓ（ｉ）を求めて比較した結果はほぼ同一で、式２、式３、式４、式５および式６により、照合の対象となる基画像とカメラ付き携帯電話１０で撮影した画像との同一性を確認することができるためである。【００２８】  次に、上記のようにして基画像から抽出した特徴量Ｓ（ｉ）と振幅の大きさを表す数値ｆ（ｉ）とにおいては、特徴量Ｓ（ｉ）と振幅の大きさを表す数値ｆ（ｉ）とを基画像に基づいて接続すべき関連Ｗｅｂサイト１４のＵＲＬ情報と関連付けてデータベースに登録しておく。データベースに登録されることとなった特徴量Ｓ（ｉ）と振幅の大きさを表す数値ｆ（ｉ）とを、データベースに登録されている他のＳ（ｉ）、ｆ（ｉ）と区別して検索できるように、それぞれＳｍ（ｉ）、ｆｍ（ｉ）として登録する。ここで、「ｍ」は、データベース１２における基画像データの登録場所を示すインデックス値である。【００２９】  上記のようにｍを用いて特徴量Ｓｍ（ｉ）とｆｍ（ｉ）とＵＲＬ情報とを関連付けてデータベース１２に登録することにより、後に照合の対象となるカメラ付き携帯電話１０で撮影した画像から抽出した所定の特徴量とＳｍ（ｉ）とを照合し、両者が一致した場合に、カメラ付き携帯電話１０に基画像の関連Ｗｅｂサイト１４のＵＲＬ情報を送信することができるようになる。【００３０】  次に、カメラ付き携帯電話１０で撮影した画像の画像データから切り出して加工したデータをサーバ１６へ送信する過程において、カメラ付き携帯電話１０で撮影した画像の画像データから断面線を設定する手法について、図７を参照しながら説明する。
即ち、カメラ付き携帯電話１０で撮影した画像たる撮影対象物と背景などとを含めた撮影画像全体に対して、撮影画像の縦方向ピクセルに沿って各列が１２８ピクセルを有する３本の列方向線と、撮影画像の横方向ピクセルに沿って各行が１２８ピクセルを有する３本の行方向線との、合計６本の断面線を設定する。
ここで、上記した３本の列方向線と３本の行方向線との合計６本の断面線の位置や間隔は、開発者が予めカメラ付き携帯電話１０で撮影される画像のうち画像にしめる照合の対象となる画像の範囲を想定して予め設定するようになされている。
なお、カメラ付き携帯電話１０で撮影する際、距離が離れているなど被写体が小さい場合をある程度考慮に入れて、つまりは、余白部分のみに断面線が設定されることがないように、断面線位置や間隔を予め考慮して設定する。
これにより、予め登録されている基画像に関する特徴量とＳｍ（ｉ）との照合をより確実にすることで、カメラ付き携帯電話１０の性能および撮影時の種々の条件（撮影アングル、撮影距離あるいは撮影時の明るさなどである。）などに依存して劣化した場合においても、実用レベルで十分な照合を行うことが可能となる。
このように、実用レベルで十分な照合を行うことが可能となるのは、基画像から切り出した断面データを規格化した後の断面データと、カメラ付き携帯電話１０で撮影した画像データから切り出した断面データを規格化した後の断面データとを比較した場合において、カメラ付き携帯電話１０の性能や撮影時の種々の条件による影響で、カメラ付き携帯電話１０で撮影した画像データから切り出した断面データを規格化した後の断面データが基画像データに比べて変形している際においても、比較されるそれぞれのインデックス値ｉにおけるｆ（ｉ）の大きさに大小の差があっても式１により−１、０もしくは１として表示される特徴量Ｓ（ｉ）を求めて比較した結果はほぼ同一となるが、照合に用いる断面データが、例えば、縦方向と横方向とのそれぞれ３本ずつの計６本あれば、１本で照合した場合に比べて照合の精度が向上する。さらに照合の精度を向上させるためには、カメラ付き携帯電話１０で撮影した画像データに設定する断面線の数を増やせばよい。【００３１】  上記のようして設定した断面線に関して断面データを取得して、取得した断面データを、照合の対象となる画像以外の余白を取り除き、１２８ピクセルサイズに変換処理を行い、次にローパスフィルタリング処理を行い、処理後の断面データを０〜２５５の範囲で規格化し、規格化した断面データから特徴量Ｓ（ｉ）を取得する。【００３２】  次に、カメラ付き携帯電話１０で撮影した画像から抽出した特徴量Ｓ（ｉ）に一致するデータベース１２に登録された特徴量Ｓｍ（ｉ）を検索するために、下記の式２および式３の演算を行い、特徴量Ｓ（ｉ）と特徴量Ｓｍ（ｉ）とが一致するか否かを判断するために閾値Ｔｖと比較する最小二乗誤差値Ｖｍを算出する。
なお、式２および式３において、Ｎおよびｎは、カメラ付き携帯電話１０で撮影した画像から取得した断面データの数を示す。
従って、特徴量Ｓｎ（ｉ）はｎ（０〜Ｎ−１「Ｎ＝６」）番目の断面線の特徴量Ｓ（ｉ）を意味し、特徴量Ｓｎｍはデータベース１２に登録されているインデックス値ｍ（０〜Ｍ−１「Ｍ＝登録画像数」）番目の基画像データの断面線のうちｎ番目の断面線の特徴量Ｓ（ｉ）を意味する。
【数２】
2006008992.tif 000003
【数３】
2006008992.tif 000004
次に、式した最小二乗誤差値Ｖｍを算出する処理と並行して、カメラ付き携帯電話１０で撮影した画像から抽出した数値ｆ（ｉ）に一致するデータベース１２に登録された数値ｆｍ（ｉ）を検索するために、下記の式４および式５の演算を行い、数値ｆ（ｉ）と数値ｆｍ（ｉ）とが一致するか否かを判断するために閾値Ｔｄと比較する最小二乗誤差値Ｄｍを算出する。
なお、式４および式５において、Ｎおよびｎは、カメラ付き携帯電話１０で撮影した画像から取得した断面データの数を示す。
【数４】
2006008992.tif 000005
【数５】
2006008992.tif 000006
次に、上記においてそれぞれ算出した最小二乗誤差値Ｖｍと最小二乗誤差値Ｄｍとの双方が、ともにそれぞれの基準となる閾値Ｔｖと閾値Ｔｄとをそれぞれ下回った場合、即ち、下記の式６および式７が成立する場合に、その下回った閾値の対象となった特徴量Ｓｍ（ｉ）と振幅の大きさを表す数値ｆｍ（ｉ）とが抽出された基画像と、同じくその下回った閾値の対象となった特徴量Ｓ（ｉ）と振幅の大きさを表す数値ｆ（ｉ）とを抽出したカメラ付き携帯電話１０で撮影した画像とが一致したとみなし、特徴量Ｓｍ（ｉ）と関連付けてデータベース１２に登録されている基画像に対応する関連Ｗｅｂサイト１４のＵＲＬ情報を、カメラ付き携帯１０に送信する。
そして、基画像に対応する関連Ｗｅｂサイト１４のＵＲＬ情報を受信したカメラ付き携帯電話１０は、受信したＵＲＬ情報を用いて関連Ｗｅｂサイト１４に接続し、関連Ｗｅｂサイト１４のＷｅｂページをカメラ付き携帯電話１０の表示画面１０ａに表示する。
【数６】
2006008992.tif 000007
【数７】
2006008992.tif 000008
従って、上記したカメラ付き携帯情報通信端末を用いたＷｅｂサイト接続システムによれば、予めパンフレット、雑誌、入場券、商品券あるいは看板などの各種の媒体および媒体の周辺になんらかの加工を施すことなしに、単に媒体をカメラ付き携帯情報端末の内蔵カメラで撮影することにより、当該媒体に関連付けられた関連Ｗｅｂサイトへ接続することができるようになる。
また、上記したカメラ付き携帯情報通信端末を用いたＷｅｂサイト接続システムによれば、テレビコマーシャルやＷｅｂサイトなどの液晶などの画面に表示される画像をカメラ付き携帯情報端末の内蔵カメラで撮影することにより、画像に関連付けられた関連Ｗｅｂサイトへ接続することができるようになる。【００３３】  なお、図８（ａ）は基画像から切り出した断面データを規格化した後の断面データであり、図８（ｂ）はカメラ付き携帯電話１０で撮影した画像データから切り出した断面データを規格化した後の断面データである。図８（ｂ）は、撮影の際の環境（周囲の光）の影響で、基画像データに比べて変形している。しかしながら、それぞれを式１に当てはめて特徴量Ｓ（ｉ）を求めて比較した結果はほぼ同一で、式２、式３および式６により、照合の対象となる基画像とカメラ付き携帯電話１０で撮影した画像とが同一であることを確認できる。【００３４】  なお、上記した実施の形態は、以下の（１）乃至（７）に示すように変形することができるものである。
（１）上記した実施の形態においては、基画像データやカメラ付き携帯電話１０で撮影された画像の画像データに対してグレースケール化処理を行うようにしたが、基画像データやカメラ付き携帯電話１０で撮影された画像の画像データがグレースケールデータである場合には、グレースケール化処理を行う必要がないことは勿論である。
（２）上記した実施の形態においては、カメラ付き携帯電話１０で撮影された画像の画像データから抽出された特徴量Ｓ（ｉ）と数値ｆ（ｉ）との両者を照合に用いるようにしたが、これに限られるものではないことは勿論である。即ち、特徴量Ｓ（ｉ）と数値ｆ（ｉ）とのいずれか一方のみを抽出して照合に用いるようにして、処理速度の向上を図るようにしてもよい。その場合には、基画像データから抽出する特徴量Ｓｍ（ｉ）と数値ｆｍ（ｉ）とについても、照合に用いる何れか一方のみを抽出してデータベース１２に登録しておけばよい。
（３）上記した実施の形態においては、カメラ付き携帯電話１０においてカメラ付き携帯電話１０で撮影された画像の画像データに対する処理を行うようにして、カメラ付き携帯電話１０から断面データのみをサーバ１６に送信し、以降の処理のみをサーバ１６側に委ねるようにした。このため、カメラ付き携帯電話１０で撮影してから関連Ｗｅｂサイト１４に接続するまでの時間を短縮化することが可能になるが、これに限られるものではないことは勿論である。即ち、カメラ付き携帯電話１０で撮影された画像の画像データを、カメラ付き携帯電話１０で処理することなくサーバ１６へ送信し、サーバ１６において、上記で説明したカメラ付き携帯電話１０で行われる処理を行うようにしてもよい。このようにサーバ１６側に処理を委ねることにより、照合の精度をより向上することが可能になる。
（４）上記した実施の形態においては、カメラ付き携帯電話１０で撮影された画像に基づいて、６本の断面線を設定するようにしたが、これに限られるものではないことは勿論である。即ち、断面線は１本でもよいし、２本以上の偶数本でもよいし、また、奇数本でもよい。さらに、断面線は、列方向線のみでもよいし、行方向線のみでもよい。
（５）上記した実施の形態においては、カメラ付き携帯電話１０で撮影された画像に基づいて、６本の断面線を設定する際に、３本の列方向線と３本の行方向線との合計６本の断面線の位置や間隔は予め設定されているものとしたが、これに限られるものではないことは勿論であり、ユーザがカメラ付き携帯電話１０で撮影した画像に応じて任意に設定するようにしてもよい。
（６）上記した実施の形態においては、グレースケール化処理後に断面データを生成するようにしたが、これに限られるものではないことは勿論であり、処理の順番を変えて、断面データを生成した後にグレースケール化処理を行うようにしてもよい。
（７）上記した実施の形態ならびに上記した（１）乃至（６）に示す変形例は、適宜に組み合わせるようにしてもよい。
【産業上の利用可能性】
【００３５】  本発明は、カメラ付き携帯電話、カメラ付きＰＨＳあるいはカメラ付きＰＣなどの各種のカメラ付き携帯情報通信端末を用いてＷｅｂサイトへ接続し、カメラ付き携帯情報通信端末の表示画面上でＷｅｂページを閲覧することを可能にしたサービスに利用することができる。
【図１】
2006008992.tif 000009
【図２】
2006008992.tif 000010
【図３】
2006008992.tif 000011
【図４】
2006008992.tif 000012
【図５】
2006008992.tif 000013
【図６】
2006008992.tif 000014
【図７】
2006008992.tif 000015
【図８】
2006008992.tif 000016
【国際調査報告】
2006008992.tif 000017
2006008992.tif 000018